(57)【要約】【課題】  ビデオ録画装置間で独立して映像情報の記録制御が可能なカメラ監視システムを提供する。【解決手段】  カメラ監視システムの各ビデオ記録装置１２に警報インタフェース１２３と通信インタフェース１２２を設け、ネットワーク３を介して各ビデオ記録装置１２の間で警報情報を送受信することにより各ビデオ記録装置１２がそれぞれ独立して映像情報の記録制御を行う。【選択図】  図１
2006005602.tif 000002
【特許請求の範囲】
【請求項１】
ネットワークに接続されるセンタ装置と、
それぞれが監視カメラと前記監視カメラが撮影した映像情報を録画するビデオ記録装置とを備え、前記ネットワークを介して前記センタ装置に前記映像情報を送信するリモート装置とを
具備するカメラ監視システムにおいて、
各前記ビデオ記録装置は、
記録手段と、
通信手段と、
自装置に内蔵されるか、又は接続される警報手段と、
前記警報手段からの警報を受信して警報情報を生成して送信する警報インタフェース手段と、
前記警報インタフェース手段が送信した警報情報を受信するか、または、前記通信手段を介して自装置以外から警報情報を受信した場合、当該警報情報に応じて前記カメラの映像情報の記録モードを前記記録手段に設定するとともに、前記警報インタフェース手段から受信した警報情報を前記通信手段および前記ネットワークを介して自装置以外の前記ビデオ記録装置に送信する制御を行う制御手段と
を備えることを特徴とするカメラ監視システム。
【請求項２】
前記警報手段は、
前記監視カメラが撮影する映像情報の映像処理を行うことにより監視目標の異常を検出して前記警報インタフェース手段に警報を送信することを特徴とする請求項１に記載のカメラ監視システム。
【請求項３】
前記警報手段が自己診断により検出した前記記録手段の障害の警報を前記警報インタフェース手段に送信した場合、
前記障害の警報を受信した前記警報インタフェース手段は、前記障害の警報情報を生成して送信し、
前記制御手段は、前記障害の警報情報を受信した場合、その警報情報を更に前記通信手段および前記ネットワークを介して第２の前記ビデオ記録装置に送信し、
前記障害の警報情報を受信した第２の前記ビデオ記録装置は、
前記障害の警報情報を送信した第１の前記ビデオ記録装置に接続される前記監視カメラが撮影した映像情報を前記ネットワークおよび第２の前記ビデオ記録装置の通信手段を介して受信して記録することを特徴とする請求項１記載のカメラ監視システム。
【請求項４】
前記カメラ監視システムは、河川監視システムであることを特徴とする請求項１に記載のカメラ監視システム。
【請求項５】
前記カメラ監視システムは、交通監視システムであることを特徴とする請求項１に記載のカメラ監視システム。
【請求項６】
ネットワークに接続されるセンタ装置と、
それぞれが監視カメラと、前記監視カメラが撮影した映像情報を録画するビデオ記録装置とからなり前記ネットワークを介して前記センタ装置に前記映像情報を送信する複数のリモート装置と
を具備するカメラ監視システムの記録制御方法において、
各前記ビデオ記録装置は、
記録手段と、自装置に内蔵、又は接続される警報手段と、通信手段と、警報インタフェース手段と、制御手段とを備え、
前記警報手段は、目標監視に係わる異常を検出すると警報を前記警報インタフェース手段に送信し、
前記警報手段から警報を受信した警報インタフェース手段は、その警報情報を生成して送信し、
前記警報インタフェース手段が送信した警報情報を受信するか、または、前記通信手段を介して自装置以外からの警報情報を受信した前記制御手段は、
当該警報情報に応じて前記カメラの映像情報の記録モードを前記記録手段に設定するとともに、前記警報インタフェース手段から受信した警報情報を前記通信手段および前記ネットワークを介して自装置以外の前記ビデオ記録装置に送信する制御を行うことを特徴とするカメラ監視システムの記録制御方法。
【請求項７】
前記警報手段は、
前記監視カメラが撮影した映像情報から映像処理を行うことにより監視目標の異常を検出して前記警報インタフェース手段に警報を送信することを特徴とする請求項６に記載のカメラ監視システムの記録制御方法。
【請求項８】
前記警報手段が、自己診断により検出した前記記録手段の障害の警報を前記警報インタフェース手段に送信した場合、
前記障害の警報を受信した前記警報インタフェース手段は、前記障害の警報情報を生成して送信し、
前記制御手段は、前記障害の警報情報を受信した場合、その警報情報を更に前記通信手段および前記ネットワークを介して第２の前記ビデオ記録装置に送信し、
前記障害の警報情報を受信した第２の前記ビデオ記録装置は、
前記障害情報を送信した第１の前記ビデオ記録装置に接続される前記監視カメラが撮影した映像情報を前記ネットワークおよび第２の前記ビデオ記録装置の通信手段を介して受信して記録することを特徴とする請求項６記載のカメラ監視システムの記録制御方法。
【請求項９】
ネットワークに接続されるセンタ装置と、
それぞれが監視カメラと、前記監視カメラが撮影した映像情報を録画するビデオ記録装置とからなり前記ネットワークを介して前記センタ装置に前記映像情報を送信するリモート装置と
を具備するカメラ監視システムのビデオ記録装置において、
各前記ビデオ記録装置は、
記録手段と、
通信手段と、
自装置に内蔵されるか、又は接続される警報手段と、
前記警報手段からの警報を受信して警報情報を生成して送信する警報インタフェース手段と、
前記警報インタフェース手段が送信した警報情報を受信するか、または、前記通信手段を介して自装置以外から警報情報を受信した場合、当該警報情報に応じて前記カメラの映像情報の記録モードを前記記録手段に設定するとともに、前記警報インタフェース手段から受信した警報情報を前記通信手段および前記ネットワークを介して自装置以外の前記ビデオ記録装置に送信する制御を行う制御手段と
を備えることを特徴とするカメラ監視システムのビデオ記録装置。
【請求項１０】
ネットワークに接続されるセンタ装置と、
それぞれが監視カメラ、および記録手段と、通信手段と、目標監視に係わる警報情報を送信する警報インタフェース手段とを備えて前記監視カメラが撮影した映像情報を録画するビデオ記録装置とからなり前記ネットワークを介して前記センタ装置に前記映像情報を送信するリモート装置と
を具備するカメラ監視システムのビデオ記録装置のプログラムにおいて、
前記ビデオ記録装置のプログラムは、
前記通信手段を介して自装置以外から目標監視に係わる警報情報を受信するか、または、前記警報インタフェース手段から目標監視に係わる警報情報を受信した場合、当該警報情報に応じて前記カメラの映像情報の記録モードを前記記録手段に設定するとともに、前記警報インタフェース手段から受信した警報情報を前記通信手段および前記ネットワークとを介して自装置以外の前記ビデオ記録装置に送信することを特徴とするカメラ監視システムのビデオ記録装置の記録制御プログラム。
【発明の詳細な説明】
【技術分野】
【０００１】
本発明は、カメラ監視システムとその記録制御方法、およびビデオ記録装置と記録制御プログラムに関する。
【背景技術】
【０００２】
カメラ監視システムには、複数のリモート装置の監視カメラが撮影した映像情報をビデオ記録装置で録画するとともに、映像情報、又はリモート装置で映像情報を処理したデータや警報をネットワークを介して、例えば、監視サーバ、パーソナルコンピュータ等のセンタ側の映像処理装置、又は、モニタ装置へ送信するものがある。従来、リモート装置からは、警報や、映像処理をしたデータはセンタ側のサーバ等に送信されるが、他のリモート装置のビデオ記録装置へは送信されず、リモート装置間では直接相互に警報やデータを送受信することは無かった。例えば、移動体や河川などを複数の監視カメラで目標監視を連続して行うカメラ監視システムでは、隣り合わせたリモート装置の監視カメラの映像情報から生成された監視に係わる警報などのデータを利用してカメラ監視や、ビデオ記録装置が記録の準備をする場合は、監視サーバがリモート装置の監視カメラ装置やビデオ記録装置の記録モードを集中して制御している（例えば、特許文献１。）。ところが、リモート側のカメラやビデオ記録装置が多数になるか、又は、リモート装置間でそれぞれ異なった待機や、映像処理を行う場合には、監視サーバの負荷が増加することや、ビデオ記録装置毎に異なるモードで録画する制御が困難な問題があった。
【特許文献１】特開２００３−２７４３９０号公報（第９頁、第１図）
【発明の開示】
【発明が解決しようとする課題】
【０００３】
従来複数のリモート装置でカメラ撮影した映像情報を記録するカメラ監視システムでは、リモート装置では相互に監視に係わる警報等の直接データを送受信することは無く、リモート装置間でそれぞれ異なった待機や、映像処理を行う場合には、各リモート装置の監視カメラ等を管理する監視サーバの負荷が増加することや、ビデオ記録装置毎に異なるモードで録画することが困難な問題があった。
【０００４】
本発明は上記問題を解決するためになされたもので、リモート装置間で警報等を相互に送受信し、監視サーバの負荷増加を防いでビデオ録画装置間で独立して映像情報の記録制御が可能なカメラ監視システムとその記録制御方法、およびビデオ記録装置と記録制御プログラムを提供することを目的とする。
【課題を解決するための手段】
【０００５】
上記目的を達成するために、本発明のカメラ監視システムは、ネットワークに接続されるセンタ装置と、それぞれが監視カメラと前記監視カメラが撮影した映像情報を録画するビデオ記録装置とを備え、前記ネットワークを介して前記センタ装置に前記映像情報を送信するリモート装置とを具備するカメラ監視システムにおいて、各前記ビデオ記録装置は、録手段と、通信手段と、自装置に内蔵されるか、又は接続される警報手段と、前記警報手段からの警報を受信して警報情報を生成して送信する警報インタフェース手段と、前記警報インタフェース手段が送信した警報情報を受信するか、または、前記通信手段を介して自装置以外から警報情報を受信した場合、当該警報情報に応じて前記カメラの映像情報の記録モードを前記記録手段に設定するとともに、前記警報インタフェース手段から受信した警報情報を前記通信手段および前記ネットワークを介して自装置以外の前記ビデオ記録装置に送信する制御を行う制御手段とを備えることを特徴とする。
【０００６】
また、本発明のカメラ監視システムの記録制御方法は、ネットワークに接続されるセンタ装置と、それぞれが監視カメラと、前記監視カメラが撮影した映像情報を録画するビデオ記録装置とからなり前記ネットワークを介して前記センタ装置に前記映像情報を送信する複数のリモート装置とを具備するカメラ監視システムの記録制御方法において、各前記ビデオ記録装置は、記録手段と、自装置に内蔵、又は接続される警報手段と、通信手段と、警報インタフェース手段と、制御手段とを備え、前記警報手段は、目標監視に係わる異常を検出すると警報を前記警報インタフェース手段に送信し、前記警報手段から警報を受信した警報インタフェース手段は、その警報情報を生成して送信し、前記警報インタフェース手段が送信した警報情報を受信するか、または、前記通信手段を介して自装置以外からの警報情報を受信した前記制御手段は、当該警報情報に応じて前記カメラの映像情報の記録モードを前記記録手段に設定するとともに、前記警報インタフェース手段から受信した警報情報を前記通信手段および前記ネットワークを介して自装置以外の前記ビデオ記録装置に送信する制御を行うことを特徴とするカメラ監視システムの記録制御方法。
【０００７】
また、更に本発明のカメラ監視システムのビデオ記録装置は、ネットワークに接続されるセンタ装置と、それぞれが監視カメラと、前記監視カメラが撮影した映像情報を録画するビデオ記録装置とからなり前記ネットワークを介して前記センタ装置に前記映像情報を送信するリモート装置とを具備するカメラ監視システムのビデオ記録装置において、各前記ビデオ記録装置は、記録手段と、通信手段と、自装置に内蔵されるか、又は接続される警報手段と、前記警報手段からの警報を受信して警報情報を生成して送信する警報インタフェース手段と、前記警報インタフェース手段が送信した警報情報を受信するか、または、前記通信手段を介して自装置以外から警報情報を受信した場合、当該警報情報に応じて前記カメラの映像情報の記録モードを前記記録手段に設定するとともに、前記警報インタフェース手段から受信した警報情報を前記通信手段および前記ネットワークを介して自装置以外の前記ビデオ記録装置に送信する制御を行う制御手段とを備えることを特徴とする。
【０００８】
そして更に、本発明のカメラ監視システムのビデオ記録装置の記録制御プログラムは、ネットワークに接続されるセンタ装置と、それぞれが監視カメラ、および記録手段と、通信手段と、目標監視に係わる警報情報を送信する警報インタフェース手段とを備えて前記監視カメラが撮影した映像情報を録画するビデオ記録装置とからなり前記ネットワークを介して前記センタ装置に前記映像情報を送信するリモート装置とを具備するカメラ監視システムのビデオ記録装置のプログラムにおいて、前記ビデオ記録装置のプログラムは、前記通信手段を介して自装置以外から目標監視に係わる警報情報を受信するか、または、前記警報インタフェース手段から目標監視に係わる警報情報を受信した場合、当該警報情報に応じて前記カメラの映像情報の記録モードを前記記録手段に設定するとともに、前記警報インタフェース手段から受信した警報情報を前記通信手段および前記ネットワークとを介して自装置以外の前記ビデオ記録装置に送信することを特徴とする。
【発明の効果】
【０００９】
本発明によれば、カメラ監視システムの各ビデオ記録装置に警報インタフェース手段と通信手段を設け、ネットワークを介して各ビデオ記録装置の間で警報を送受信することにより監視サーバの負荷増加を防いで各ビデオ記録装置がそれぞれ独立して映像情報の記録制御をすることが可能になる。
【発明を実施するための最良の形態】
【００１０】
以下、図面を参照して本発明の実施例を説明する。
【実施例】
【００１１】
図１は、本発明の実施例に係るカメラ監視システムの構成図である。
【００１２】
図１においてカメラ監視システムは、ネットワーク３で接続されたリモート装置１Ａ〜１Ｎとセンタ装置２を備えている。リモート装置１Ａ〜１Ｎ（以下リモート装置１Ａ〜１Ｎに共通な事項の場合、リモート装置１と称する。）は、それぞれ監視カメラ１１Ａ〜１１Ｎ（以下監視カメラ１１Ａ〜１１Ｎに共通な事項の場合、監視カメラ１１と称する。）とそれらに接続されるビデオ記録装置１２Ａ〜１２Ｎ（以下ビデオ記録装置１２Ａ〜１２Ｎに共通な事項の場合、ビデオ記録装置１２と称する。）からなる。
【００１３】
リモート装置１のビデオ記録装置１２で撮影された映像情報は、ビデオ記録装置１２で記録されるとともに、ネットワーク３を介してセンタ装置２へ送信される。また、リモート装置１から送信される警報情報は、ネットワーク３を介してセンタ装置２および他のリモート装置１へ送信される。センタ装置２は、ネットワーク３を介して各リモート装置１から送信された映像情報および警報情報等の信号を受信する一方、各リモート装置１への制御信号を送信する。各リモート装置１では、他の各リモート装置１からの警報情報を受信した場合、その内容を判読して所定のビデオ記録モードに設定するなどの処理を行う。
【００１４】
センタ装置２は、図１において１台の構成として示されているが、Ｎ台のリモート装置１に対して、図示されないＮ台の映像モニタ端末で映像を監視する構成、即ち、Ｎ組の対向するリモート装置１とＮ台の映像モニタ端末からなる構成でも良い。又は、リモート装置１Ａ〜１Ｎの監視カメラ１１Ａ〜１１Ｎが撮影した映像情報を選択回路（図示せず）により選択して１台、もしくは少数の映像モニタ端末で監視をする構成であっても良い。
【００１５】
ネットワーク３は、警報情報と、映像情報とを伝送するが、ここでは映像情報がデジタル符号化されてＴＣＰ／ＩＰ手順によりパケット伝送されるものとして説明をする。
【００１６】
図２は、ビデオ記録装置１２の内部構成を説明するブロック図である。各ビデオ記録装置１２には、それぞれ映像処理部１２１、通信インタフェース１２２、警報インタフェース１２３、制御部１２４と内部メモリ１２４１、および記録部１２５が内部バス等により接続されている。
【００１７】
次に図２を用いてビデオ記録装置１２におけるその処理概要を説明する。
【００１８】
ビデオ記録装置１２の映像処理部１２１は、監視カメラ１１からの映像情報を受信して所定の符号化処理、また、特徴抽出処理により映像情報からモーション検出など所定の監視に必要な警報信号の生成等の処理を行う。符号化処理された映像情報は、内部バスを介して通信インタフェース１２２へ出力され、通信インタフェース１２２は、入力された符号化映像情報を更にネットワーク３の通信手順に合わせた信号フォーマットに変換してセンタ装置２へ送信する。同様に符号化映像情報は、記録部１２５にも出力されて記録保存される。
【００１９】
また、映像処理して生成された警報は、警報インタフェース１２３に内部バスを介して送信される。ところで、警報インタフェース１２３には、カメラ監視システムに係わって接続される外部のセンサ、装置等からの警報、またビデオ記録装置の自己診断機能が故障を通知する警報等が入力される。警報インタフェース１２３は、これらの警報を受信すると、所定の警報コードを生成して内部バスを介して制御部１２４へ出力する。
【００２０】
制御部１２４は、この警報信号が入力されるとこの警報コードの制御情報を通信インタフェース１２２に出力し、警報コードに対応して所定の宛先を設定し、ネットワーク３を介して他のリモート装置のビデオ記録装置１２へ警報情報のパケットを送信する。
【００２１】
また、制御部１２４は、ネットワーク３を介して他のリモート装置のビデオ記録装置１２から警報情報のパケットを受信するか、または、上記の警報信号を警報インタフェース１２３から入力されると、それらの警報コードに従って、所定の記録モード、例えば、符号化速度で映像情報を記録するよう映像処理部１２１と記録部１２５を制御する。
【００２２】
図３は、本発明の実施例における警報コードと記録モードの関係を記憶する内部メモリ１２４１の記憶データを示す図である。図３において、「警報種類」、「警報コード」、「記録モード」の欄が設けられ、例えば、「警報種類」で「目標映像」とあるのは、目標監視映像の映像処理により、例えば、障害物などの異常が検出されたことを意味し、「警報コード」「Ｄ１」は、「目標映像」の障害物発見を意味している。そして、「記録モード」は、「警報コード」に対応して設定される符号化速度であり、その「高速」は、「警報コード」「Ｄ１」は、異常状態を詳細に記録するよう高速の符号化速度で録画（記録）することを意味している。
【００２３】
図４は、本発明の実施例におけるカメラ監視システムの動作手順を説明するフローチャートである。以下、図１〜図４を参照して、河川の水門の状態や流量等を監視する河川監視システムを例に、本実施例のカメラ監視システムの動作手順を説明する。
【００２４】
図１において、各リモート装置１Ａ〜１Ｎは、上流から下流に向けて設置され、各リモート装置１Ａ〜１Ｎの各ビデオ記録装置１２Ａ〜１２Ｎでは、各警報インタフェース１２３が出力する警報コードに対応して映像情報の記録モード（例えば、高速録画）、およびそのアラーム情報を送信する宛先のアドレスが初期設定される（ステップｓ１）。この初期設定は、図２におけるビデオ記録装置１２の通信インタフェース１２２とネットワーク３を介してセンタ装置２の監視サーバ（図示せず）、又は、通信インタフェース１２２を介して保守端末等から制御信号として初期設定するデータが制御部１２４の内部メモリ１２４１にダウンロードされる。また他の方法として、図２には図示されていないが、ビデオ記録装置１に設けられたスイッチ、ダイヤル等によって初期設定するデータが入力されるものであっても良い。
【００２５】
初期設定された各ビデオ記録装置１２は、監視カメラ１１からの映像情報を所定の記録モード、例えば、低速モードで録画するか、又は、警報情報等によって録画を開始するまで待機状態となる。
【００２６】
さて、リモート装置１Ａの監視カメラ１１からの映像情報を映像処理したビデオ記録装置１２Ａの映像処理部１２１が監視目標の水門に障害物が流れてきたことを検出したとする。そして、映像処理部１２１は、障害物検知の警報を内部バスを介して警報インタフェース１２３に送信すると、警報インタフェース１２３は、障害物検知の警報コード、例えば「Ｄ１」を設定した警報情報を制御部１２４に送信する。制御部１２４は警報情報を受信すると（ステップｓ２）、その警報情報が内部バスを介して受信した警報情報であり、他の記録装置から受信した警報情報で無い（ステップｓ３がＮｏ）と判断する。そして警報コードＤ１に対応する記録モードを内部メモリ１２４１から読み出して、例えば、記録部１２５が録画する記録モードを今までの低速モードから変更して高速モードに設定する（ステップｓ５）。
【００２７】
続いて、制御部１２４は、警報コード「Ｄ１」に対応する宛先アドレスを内部メモリ１２４１から読み出した場合、下流のリモート装置１Ｂに異常検知を伝えるため、リモート装置１Ｂのビデオ記録装置１２Ｂのアドレス「１２Ｂ」を探し出して通信インタフェース１２２へ出力する。通信インタフェース１２２は、パケットのヘッダに送信先アドレス「１２Ｂ」と送信元アドレス「１２Ａ」、および警報コード「Ｄ１」をデータフレームに設定したパケットを生成してネットワーク３を介してビデオ記録装置１２Ｂへ送信する。
【００２８】
リモート装置１Ｂのビデオ記録装置１２Ｂは、ネットワーク３、およびビデオ記録装置１２Ｂの通信インタフェース１２２を介してビデオ記録装置１２Ａからの警報情報を受信する（ステップｓ２）。ビデオ記録装置１２Ｂの制御部１２４は、受信した警報情報のパケットの送信元アドレス「１２Ａ」からビデオ記録装置１２Ａからの警報情報であると判断し（ステップｓ３がＹｅｓ）、また、送信先アドレス「１２Ｂ」からその警報情報のパケットが自分宛であることを判読する（ステップｓ６がＹｅｓ）。そして、パケットから警報コードＤ１に対応する記録モードを内部メモリ１２４１から読み出して、例えば、記録部１２５の記録モードを今までの低速モードから高速モードに変更する設定を行う（ステップｓ７）。
【００２９】
以上が、本実施例のカメラ監視システムを河川監視システムに適用した場合の基本動作であるが、更に次の様な動作をする。上記説明では、監視対象の河川の異常が映像情報から検知されて警報インタフェース１２３に出力されているが、警報インタフェース１２３には、例えば、雨量計の様な外部センサ、又は気象観測システムが接続され、集中豪雨の様な急変する気象に備えることもある。即ち、リモート装置１Ａ付近の雨量計が短時間降水量が危険な警報を発生した場合、その「水量増加」の警報が警報インタフェース１２３に送信され、その警報コード「Ｄ２」が警報インタフェース１２３で生成された場合も、ビデオ記録装置１Ａでは上記の警報コード「Ｄ１」が生成された場合と同様に記録モードの設定や警報コードの送信が行われる。又、その警報を受信したビデオ記録装置１Ｂでも同様に記録モードの変更が行われる。
【００３０】
なお、上記説明では、警報インタフェース１２３が警報を受信した場合、制御部１２４は、送信する警報情報のパケットの宛先アドレスを特定のビデオ記録装置１２Ｂの「１２Ｂ」に設定しているが、宛先をマルチキャスト（同報やグループ設定）にして、多数のビデオ記録装置１２（例えば、１２Ａ〜１２Ｎ）で受信するようにしたものであっても良いことは勿論である。そしてこの場合、受信側のビデオ記録装置１２が、送信元のビデオ記録装置１２のアドレスを判読したり、警報コードを判読して記録モードを変更するか否かを判定する様に制御部１２４が記録モードを制御するものであっても良い。
【００３１】
更に、センタ装置２のサーバにより各ビデオ記録装置１２が送信する警報を監視して、必要に応じて特定のビデオ記録装置１２に記録モードを設定できるようにしたものであっても良いことも勿論である。
【００３２】
また、本実施例では、各リモート装置１のカメラ１１で撮影された映像情報は、圧縮されたパケットデータの映像情報に変換され、ネットワーク３を介してセンタ装置２へ送信されている。そして、リモート装置１Ａのビデオ記録装置１２Ａが故障した場合、警報インタフェース１２３がビデオ記録装置１Ａの自己診断により生成した「記録故障」を通知する警報情報をセンタ装置２等へ送信するものであっても良い。そして、もしビデオ記録装置１２Ａが故障した場合、その警報情報がその故障を示す警報コード、例えば「Ｄ３」と共にセンタ装置２、又は、他のリモート装置、例えば１Ｂに通知されたとする。この場合、ビデオ記録装置１２Ａに代わって、警報コード「Ｄ３」を受信したセンタ装置２又は、リモート装置１Ｂのデオ記録装置１２Ｂがリモート装置１Ａのカメラ１１Ａが撮影した映像情報を記録するようにしても良い。
【００３３】
また、上記実施例は、河川監視システムを例に動作説明を行ったが、高速道路の交通量監視などを行う交通監視システムにも同様に本発明によるカメラ監視システムは適用可能である。その場合、高速道路等の上下方向に順番でリモート装置を設置し、例えば、トンネルの交通監視、インターチェンジや料金所付近での混雑状態等をカメラで監視し、その映像情報を映像処理して警報情報を送信する等のカメラ監視システムになる。
【図面の簡単な説明】
【００３４】
【図１】本発明の実施例に係わるカメラ監視システムの構成図。
【図２】ビデオ記録装置の内部構成を説明するブロック図。
【図３】警報コードと記録モードの関係を記憶する内部メモリ１２４１の記憶データを示す図。
【図４】本発明の実施例におけるカメラ監視システムの動作手順を説明するフローチャート。
【符号の説明】
【００３５】
１Ａ〜１Ｎ  リモート装置
１１Ａ〜１１Ｎ  監視カメラ
１２Ａ〜１２Ｎ  ビデオ記録装置
１２１  映像処理部
１２２  通信インタフェース
１２３  警報インタフェース
１２４  制御部
１２５  記録部
２  センタ装置
３  ネットワーク
【図１】
2006005602.tif 000003
【図２】
2006005602.tif 000004
【図３】
2006005602.tif 000005
【図４】
2006005602.tif 000006